(57)【要約】【課題】トラフィック量が０の状態でなくても、基地局装置を省電力化すること。【解決手段】１台の第１端局装置と１つ以上の第１終端装置が光ファイバを介して接続される第１光伝送システムと、１台の第２端局装置と１台の第２終端装置が光ファイバを介して接続される第２光伝送システムであって、第１端局装置は、各第１終端装置と接続される１つ以上の第１光送受信部と、第１光送受信部からのトラフィック情報を集計する第１モニタ集計部と、を備え、第２端局装置は、第２終端装置と接続される第２光送受信部と、第２光送受信部からのトラフィック情報を集計する第２モニタ集計部と、を備え、第１端局装置は、第１モニタ集計部及び第２モニタ集計部の集計結果をもとに省電力動作を実行する省電力制御部を備える、光伝送システムである。【選択図】図１
2018033027.tif 000002
【特許請求の範囲】
【請求項１】
１台の第１端局装置と１つ以上の第１終端装置が光ファイバを介して接続される第１光伝送システムと、１台の第２端局装置と１台の第２終端装置が光ファイバを介して接続される第２光伝送システムであって、
前記第１端局装置は、
各第１終端装置と接続される１つ以上の第１光送受信部と、
前記第１光送受信部からのトラフィック情報を集計する第１モニタ集計部と、
を備え、
前記第２端局装置は、
第２終端装置と接続される第２光送受信部と、
前記第２光送受信部からのトラフィック情報を集計する第２モニタ集計部と、
を備え、
前記第１端局装置は、前記第１モニタ集計部及び第２モニタ集計部の集計結果をもとに省電力動作を実行する省電力制御部を備える、
光伝送システム。
【請求項２】
前記省電力制御部は、
前記第１光伝送システムの各第１終端装置のトラフィック量と各第１終端装置のトラフィック量閾値とを比較判定する処理と、
前記第２光伝送システムの第２終端装置のトラフィック量と前記第１光伝送システムの比較判定において閾値以下と判定された第１終端装置のトラフィック量の和とを第２光伝送システムのトラフィック量閾値と比較判定する処理に基づき省電力動作を実行する、
請求項１記載の光伝送システム。
【請求項３】
前記省電力制御部は、
前記第２光伝送システムの第２終端装置のトラフィック量と第２光伝送システムのトラフィック量閾値とを比較判定する処理に基づき省電力動作解除を実行する、
請求項１記載の光伝送システム。
【発明の詳細な説明】
【技術分野】
【０００１】
本発明は、光伝送システムに関する。
【背景技術】
【０００２】
将来の高速大容量化に向けて、利用無線周波数及び収容カバー面積の異なる多様なセルを多層化したネットワーク構成の検討が進められている。例えば、収容カバー面積の広いマクロセルと収容カバー面積の狭いスモールセルとを重ね合わせて配置することで、基地局装置あたりの受け持つ無線端末の数を減らし、無線端末の帯域拡大を図ることができる。ここで、スモールセルは、高密度に多数配置されることが想定されるため、装置の消費電力が課題となる。本課題の解決方法として、非特許文献１に記載されているように、スモールセルをトラフィック量に応じてＯＮ／ＯＦＦ制御することにより、基地局装置の省電力化が期待できる。
【先行技術文献】
【非特許文献】
【０００３】
【非特許文献１】本田一暁他、“将来無線アクセスのWDM-PON収容における監視制御チャネル構築方式の比較検討”B-8-33 電子情報通信学会総合大会 2016年3月
【発明の概要】
【発明が解決しようとする課題】
【０００４】
しかしながら、トラフィック量が０の状態となるのは稀であり、基地局装置の省電力化が図れないという問題があった。
【０００５】
上記事情に鑑み、本発明は、トラフィック量が０の状態でなくても、基地局装置を省電力化する技術を提供することを目的としている。
【課題を解決するための手段】
【０００６】
本発明の一態様は、１台の第１端局装置と１つ以上の第１終端装置が光ファイバを介して接続される第１光伝送システムと、１台の第２端局装置と１台の第２終端装置が光ファイバを介して接続される第２光伝送システムであって、前記第１端局装置は、各第１終端装置と接続される１つ以上の第１光送受信部と、前記第１光送受信部からのトラフィック情報を集計する第１モニタ集計部と、を備え、前記第２端局装置は、第２終端装置と接続される第２光送受信部と、前記第２光送受信部からのトラフィック情報を集計する第２モニタ集計部と、を備え、前記第１端局装置は、前記第１モニタ集計部及び第２モニタ集計部の集計結果をもとに省電力動作を実行する省電力制御部を備える、光伝送システムである。
【０００７】
本発明の一態様は、上記の光伝送システムであって、前記省電力制御部は、前記第１光伝送システムの各第１終端装置のトラフィック量と各第１終端装置のトラフィック量閾値とを比較判定する処理と、前記第２光伝送システムの第２終端装置のトラフィック量と前記第１光伝送システムの比較判定において閾値以下と判定された第１終端装置のトラフィック量の和とを第２光伝送システムのトラフィック量閾値と比較判定する処理に基づき省電力動作を実行する。
【０００８】
本発明の一態様は、上記の光伝送システムであって、前記省電力制御部は、前記第２光伝送システムの第２終端装置のトラフィック量と第２光伝送システムのトラフィック量閾値とを比較判定する処理に基づき省電力動作解除を実行する。
【発明の効果】
【０００９】
本発明により、トラフィック量が０の状態でなくても、基地局装置を省電力化することが可能となる。
【図面の簡単な説明】
【００１０】
【図１】光伝送システム１のシステム構成を示すシステム構成図である。
【図２】省電力動作の具体例を示すシーケンス図である。
【図３】省電力動作の２つ目の具体例を示すシーケンス図である。
【図４】省電力動作解除の具体例を示すシーケンス図である。
【図５】省電力動作解除の２つ目の具体例を示すシーケンス図である。
【発明を実施するための形態】
【００１１】
図１は、光伝送システム１のシステム構成を示すシステム構成図である。光伝送システム１は、互いに通信可能に接続された光通信システム１０及び光通信システム２０を備える。光通信システム１０は、端局装置１００、１つ以上の終端装置２００−ｎを備える。端局装置１００と終端装置２００−ｎは、光合分波装置３００を介して互いに通信可能に接続される。光通信システム２０は、端局装置４００、終端装置５００を備える。端局装置４００と終端装置５００は、互いに通信可能に接続される（以下、ｎは「１≦ｎ≦Ｎをみたす任意の自然数」とする。）。光通信システム１０は、第１光伝送システムの一態様である。光通信システム２０は、第２光伝送システムの一態様である。
【００１２】
端局装置１００は、通信網を経由する光信号によって他の通信装置との通信を実現する装置である。端局装置１００は、スモールセルを収容する。端局装置１００が接続される通信網は、例えばＰＯＮ（Passive Optical Network）等の光ファイバ網である。端局装置１００は、バスで接続されたＣＰＵ（Central Processing Unit）やメモリや補助記憶装置などを備える。端局装置１００は、省電力プログラムを実行することによって、１つ以上の光送受信部１０１−ｎ、モニタ集計部１１１、省電力制御部１１２、装置制御部１１３及び局間通信部１１４を備える装置として機能する。なお、端局装置１００の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。省電力プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。省電力プログラムは、電気通信回線を介して送信されてもよい。端局装置１００は、例えば通信サービスを提供するための局舎に設置される。端局装置１００は、例えばＯＬＴ（Optical Line Terminal）である。端局装置１００は、第１端局装置の一態様である。
【００１３】
光送受信部１０１−ｎは、端局装置１００が終端装置２００−ｎと通信を行うネットワークインタフェースである。光送受信部１０１−ｎは、終端装置２００−ｎから受信した上り信号からトラフィック量を算出する。光送受信部１０１−ｎは、このトラフィック量をモニタ集計部１１１に出力する。上り信号は、終端装置から端局装置に向かう方向の信号である。トラフィック量はトラフィック情報の一態様である。光送受信部１０１−ｎは、第１光送受信部の一態様である。
【００１４】
モニタ集計部１１１は、各終端装置２００−ｎから受付けたトラフィック量を集計する。モニタ集計部１１１は、集計したトラフィック量の集計結果を省電力制御部１１２へ出力する。モニタ集計部１１１は、第１モニタ集計部の一態様である。
【００１５】
省電力制御部１１２は、省電力判定処理を実行する。省電力判定処理は、省電力動作と省電力解除とを含む。省電力動作によって、所定の条件を満たしたスモールセルは、ＯＦＦにされる。このスモールセルに収容される通信装置は、このスモールセルから、端局装置４００が受け持つマクロセルに収容される。省電力解除によって、所定の条件を満たしたスモールセルはＯＮにされる。このスモールセルに収容される通信装置は、マクロセルから、このスモールセルに収容される。
【００１６】
装置制御部１１３は、省電力判定処理の実行結果に基づいて、通信装置に対して、スモールセルとマクロセル間の収容切替を制御する。装置制御部１１３は、省電力判定処理の実行結果を端局装置４００へ送信する。装置制御部１１３は、省電力動作されたスモールセルに設置される通信装置情報又は省電力解除されたスモールセルに設置される通信装置情報を端局装置４００へ送信する。通信装置情報とは、例えば通信装置のＩＰアドレス、ＩＭＳＩ（International Mobile Subscriber Identity）等の通信装置を特定する情報であればどのような情報であってもよい。
【００１７】
局間通信部１１４は、ネットワークインタフェースである。局間通信部１１４は通信回線を介して端局装置４００と通信する。
【００１８】
終端装置２００−ｎは、通信網を経由する光信号によって他の通信装置との通信を実現する装置である。終端装置２００−ｎが接続される通信網は、例えばＰＯＮ等の光ファイバ網である。終端装置２００−ｎは、例えば通信サービスの提供を受けるユーザの宅内に設置される。終端装置２０ｎは、例えばＯＮＵ（Optical Network Unit）である。終端装置２００−ｎは、第１終端装置の一態様である。
【００１９】
光合分波装置３００は、終端装置２００−ｎから送信された信号を集約して端局装置１００に送信する。光合分波装置３００は、端局装置１００から送信された信号を分配して終端装置２００−ｎに送信する。光合分波装置３００は、例えば光スプリッタである。
【００２０】
端局装置４００は、通信網を経由する光信号によって他の通信装置との通信を実現する装置である。端局装置４００は、マクロセルを収容する。端局装置４００が接続される通信網は、例えば光ファイバ網である。端局装置４００は、バスで接続されたＣＰＵやメモリや補助記憶装置などを備える。端局装置４００は、省電力プログラムを実行することによって、光送受信部４０１、モニタ集計部４１１、局間通信部４１２及び装置制御部４１３を備える装置として機能する。なお、端局装置４００の各機能の全て又は一部は、ＡＳＩＣやＰＬＤやＦＰＧＡ等のハードウェアを用いて実現されてもよい。省電力プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置等の可搬媒体、コンピュータシステムに内蔵されるハードディスクや半導体記憶装置等の記憶装置である。省電力プログラムは、電気通信回線を介して送信されてもよい。端局装置４００は、例えば通信サービスを提供するための局舎に設置される。端局装置４００は、例えばＯＬＴである。端局装置４００は、第２端局装置の一態様である。
【００２１】
光送受信部４０１は、端局装置４００が終端装置５００と通信を行うネットワークインタフェースである。光送受信部４０１は、終端装置５００から受信した上り信号からトラフィック量を算出する。光送受信部４０１は、このトラフィック量をモニタ集計部４１１に出力する。光送受信部４０１は、第２光送受信部の一態様である。
【００２２】
モニタ集計部４１１は、終端装置５００から受付けたトラフィック量を集計する。モニタ集計部４１１は、局間通信部４１２を介して集計したトラフィック量の集計結果を省電力制御部１１２へ出力する。モニタ集計部４１１は、第２モニタ集計部の一態様である。
【００２３】
局間通信部４１２は、ネットワークインタフェースである。局間通信部４１２は通信回線を介して端局装置１００と通信する。
【００２４】
装置制御部４１３は、省電力判定処理の実行結果に基づいて、通信装置に対してスモールセルとマクロセル間の収容切替を制御する。
【００２５】
終端装置５００は、通信網を経由する光信号によって他の通信装置との通信を実現する装置である。終端装置５００が接続される通信網は、例えば光ファイバ網である。終端装置５００は、例えば通信サービスの提供を受けるユーザの宅内に設置される。終端装置５００は、例えばＯＮＵである。終端装置５００は、第２終端装置の一態様である。
【００２６】
図２は、省電力動作の具体例を示すシーケンス図である。予め、端局装置１００に、トラフィック量の閾値Ｓｔｈ[ｎ]及び閾値Ｍｔｈを設定する。まず、終端装置２００−１〜終端装置２００−Ｎは、上り信号を端局装置１００へ送信する（ステップＳ１０１）。端局装置１００の光送受信部１０１−１〜光送受信部１０１−Ｎは、上り信号からトラフィック量Ｓｕｐ[ｎ]を算出する（ステップＳ１０２）。モニタ集計部１１１は、算出されたＳｕｐ[ｎ]を集計する（ステップＳ１０３）。終端装置５００は、上り信号を端局装置４００へ送信する（ステップＳ１０４）。端局装置４００の光送受信部４０１は、上り信号からトラフィック量Ｍｕｐを算出する（ステップＳ１０５）。モニタ集計部４１１は、算出されたＭｕｐを集計する（ステップＳ１０６）。モニタ集計部４１１は、局間通信部４１２を介して、Ｍｕｐを端局装置１００へ送信する（ステップＳ１０７）。
【００２７】
省電力制御部１１２は、Ｓｕｐ[ｎ]がＳｔｈ[ｎ]以下か否かを比較判定する（ステップＳ１０８）。Ｓｕｐ[ｎ]がＳｔｈ[ｎ]以下ではない場合（ステップＳ１０８−ＮＯ）、省電力制御部１１２は、この光送受信部１０１−ｎに対する省電力判定処理を終了する。一方、Ｓｕｐ[ｎ]がＳｔｈ[ｎ]以下である場合（ステップＳ１０８−ＹＥＳ）、省電力制御部１１２はＳｕｐ[ｎ]とＭｕｐがＭｔｈ以下か否かを比較判定する（ステップＳ１０９）。Ｓｕｐ[ｎ]とＭｕｐがＭｔｈ以下ではない場合（ステップＳ１０９−ＮＯ）、省電力制御部１１２は、この光送受信部１０１−ｎに対する省電力判定処理を終了する。一方、Ｓｕｐ[ｎ]とＭｕｐがＭｔｈ以下である場合（ステップＳ１０９−ＹＥＳ）、省電力制御部１１２は、ＭｕｐにＳｕｐ[ｎ]を加算する（ステップＳ１１０）。次に、装置制御部１１３は、光送受信部１０１−ｎに対して省電力動作を実行する（ステップＳ１１１）。省電力制御部１１２は、全ての光送受信部１０１−ｎに対して省電力判定処理を実行する。ここでステップＳ１０８〜ステップＳ１１１の一連の処理において、Ｓｕｐ[ｎ]のパラメータｎは、複数台ある光送受信部１０１−１〜１０１−Ｎから任意に選択してもよい。例えば、予め光送受信部１０１−ｎに優先順位を定めておき、その順番で省電力判定処理を実行してもよい。
【００２８】
装置制御部１１３は、局間通信部１１４を介して、端局装置４００へ省電力判定結果と省電力動作されたスモールセルに収容される通信装置情報とを送信する（ステップＳ１１２）。端局装置４００の装置制御部４１３は、受信した情報に基づいて、通信装置に対してスモールセルからマクロセルへの収容切替を実行する（ステップＳ１１３）。
【００２９】
図３は、省電力動作の２つ目の具体例を示すシーケンス図である。予め、端局装置１００に、トラフィック量閾値Ｓｔｈ[ｎ]及びトラフィック量閾値Ｍｔｈを設定する。まず、終端装置２００−１〜終端装置２００−Ｎは、上り信号を端局装置１００へ送信する（ステップＳ２０１）。端局装置１００の光送受信部１０１−１〜光送受信部１０１−Ｎは、上り信号からトラフィック量Ｓｕｐ[ｎ]を算出する（ステップＳ２０２）。モニタ集計部１１１は、受け付けたＳｕｐ[ｎ]を集計する（ステップＳ２０３）。終端装置５００は、上り信号を端局装置４００へ送信する（ステップＳ２０４）。端局装置４００の光送受信部４０１は、上り信号からトラフィック量Ｍｕｐを算出する（ステップＳ２０５）。モニタ集計部４１１は、算出されたＭｕｐを集計する（ステップＳ２０６）。モニタ集計部４１１は、局間通信部４１２を介して、Ｍｕｐを端局装置１００へ送信する（ステップＳ２０７）。
【００３０】
省電力制御部１１２は、Ｓｕｐ[ｎ]がＳｔｈ[ｎ]以下か否かを比較判定する（ステップＳ２０８）。Ｓｕｐ[ｎ]がＳｔｈ[ｎ]以下ではない場合（ステップＳ２０８−ＮＯ）、省電力制御部１１２は、この光送受信部１０１−ｎに対する省電力判定処理を終了する。一方、Ｓｕｐ[ｎ]がＳｔｈ[ｎ]以下である場合（ステップＳ２０８−ＹＥＳ）、ＳにＳｕｐ[ｎ]を加算する（ステップＳ２０９）。Ｓは、省電力動作の対象と判定された光送受信部１０１−ｎのトラフィック量の和である。省電力制御部１１２は、全ての光送受信部１０１−ｎに対して省電力判定処理を実行する。
【００３１】
省電力制御部１１２は、ＳとＭｕｐの和がＭｔｈ以下か否かを比較判定する（ステップＳ２１０）。ＳとＭｕｐの和がＭth以下ではない場合（ステップＳ２１０−ＮＯ）、省電力制御部１１２は、処理を終了する（ステップＳ２１１）。一方、ＳとＭｕｐの和がＭｔｈ以下である場合（ステップＳ２１０−ＹＥＳ）、省電力制御部１１２は、ＭｕｐにＳとＭｕｐの和を加算する（ステップＳ２１２）。装置制御部１１３は、Ｓｕｐ[ｎ]がＳｔｈ[ｎ]以下である光送受信部１０１−ｎに対して省電力動作を実行する（ステップＳ２１３）。
【００３２】
装置制御部１１３は、局間通信部１１４を介して、端局装置４００へ省電力判定結果と省電力動作が実行されたスモールセルに設置される通信装置情報とを送信する（ステップＳ２１４）。端局装置４００の装置制御部４１３は、受信した情報に基づいて、通信装置をスモールセルからマクロセルへの収容切替を実行する（ステップＳ２１５）。
【００３３】
図４は、省電力動作解除の具体例を示すシーケンス図である。予め、端局装置１００に、トラフィック量の閾値Ｍｔｈを設定する。まず、終端装置５００は、上り信号を端局装置４００へ送信する（ステップＳ４０１）。端局装置４００の光送受信部４０１は、上り信号からトラフィック量Ｍｕｐを算出する（ステップＳ４０２）。モニタ集計部４１１は、算出されたＭｕｐを集計する（ステップＳ４０３）。モニタ集計部４１１は、局間通信部４１２を介して、Ｍｕｐを端局装置１００へ送信する（ステップＳ４０４）。
【００３４】
省電力制御部１１２は、ＭｕｐがＭｔｈ以上か否かを比較判定する（ステップＳ４０５）。ＭｕｐがＭｔｈ以上ではない場合（ステップＳ４０５−ＮＯ）、省電力制御部１１２は、省電力動作解除を実行せず、ステップＳ４０１へ戻る（ステップＳ４０６）。一方、ＭｕｐがＭｔｈ以上である場合（ステップＳ４０５−ＹＥＳ）、省電力制御部１１２は、ＭｕｐからＳｍａｘ[ｎ]を減ずる（ステップＳ４０７）。Ｓｍａｘ[ｎ]は、省電力動作中の光送受信部１０１−ｎの最大伝送容量である。装置制御部１１３は、Ｓｍａｘ[ｎ]を有する光送受信部１０１−ｎに対して省電力動作解除を実行する（ステップＳ４０８）。装置制御部１１３は、局間通信部１１４を介して、端局装置４００へ省電力動作解除されたスモールセルに設置される通信装置情報を送信する（ステップＳ４０９）。省電力制御部１１２は、全ての光送受信部１０１−ｎに対して省電力判定処理を実行する。端局装置４００の装置制御部４１３は、受信した情報に基づいて、通信装置をマクロセルからスモールセルへの収容切替を実行する（ステップＳ４１０）。省電力制御部１１２は、ステップＳ４０１へ戻る（ステップＳ４１１）。
【００３５】
図５は、省電力動作解除の２つ目の具体例を示すシーケンス図である。予め、端局装置１００に、トラフィック量の閾値Ｍｔｈを設定する。まず、終端装置５００は、上り信号を端局装置４００へ送信する（ステップＳ５０１）。端局装置４００の光送受信部４０１は、上り信号からトラフィック量Ｍｕｐを算出する（ステップＳ５０２）。モニタ集計部４１１は、算出されたＭｕｐを集計する（ステップＳ５０３）。モニタ集計部４１１は、局間通信部４１２を介して、Ｍｕｐを端局装置１００へ送信する（ステップＳ５０４）。
【００３６】
省電力制御部１１２は、ＭｕｐがＭｔｈ以上か否かを比較判定する（ステップＳ５０５）。ＭｕｐがＭｔｈ以上ではない場合（ステップＳ５０５−ＮＯ）、省電力制御部１１２は、省電力動作解除を実行せず、ステップＳ５０１へ戻る（ステップＳ５０６）。一方、ＭｕｐがＭｔｈ以上である場合（ステップＳ５０５−ＹＥＳ）、省電力制御部１１２は、ＭｕｐからΣＳｍａｘ[ｎ]の値を減ずる（ステップＳ５０７）。ΣＳｍａｘ[ｎ]は、省電力動作中の全ての光送受信部１０１−ｎの最大伝送容量Ｓｍａｘ[ｎ]の総和である。装置制御部１１３は、省電力動作中の全ての光送受信部１０１−ｎに対して省電力動作解除を実行する（ステップＳ５０８）。装置制御部１１３は、局間通信部１１４を介して、端局装置４００へ省電力動作解除されたスモールセルに設置される通信装置情報を送信する（ステップＳ５０９）。省電力制御部１１２は、全ての光送受信部１０１−ｎに対して省電力判定処理を実行する。端局装置４００の装置制御部４１３は、受信した情報に基づいて、通信装置をマクロセルからスモールセルへの収容切替を実行する（ステップＳ５１０）。省電力制御部１１２は、ステップＳ５０１へ戻る（ステップＳ５１１）。
【００３７】
このように構成されることで、スモールセルのトラフィック量が０の状態でなくとも、マクロセルのトラフィック量の閾値を超えない範囲で、スモールセルのトラフィックをマクロセルに収容できる。このため、スモールセル及びマクロセルのトラフィック量に応じて基地局装置の省電力化が実現される。
【００３８】
＜変形例＞
本実施形態では、光送受信部１０１−ｎが、上り信号からトラフィック量を算出する場合について詳述したが、上り信号の代わりに下り信号からトラフィック量を算出してもよい。このように構成されることで、下り信号を中心にトラフィックが発生するスモールセル（例えば、インターネット閲覧等）に対しても、基地局装置の省電力動作を実現できる。上り信号は、端局装置から終端装置に向かう方向の信号である。
【００３９】
各光送受信部１０１−ｎの閾値Ｓｔｈ[ｎ]は、時刻によって異なってもよい。例えば、昼と夜とで閾値が異なってもよい。このように構成されることで、昼と夜とではトラフィック量が異なるエリア（例えば、オフィス街）において、常に同じ閾値を用いた場合よりも効率的な省電力動作を実現できる。
【００４０】
所定の要件を満たした光送受信部１０１−ｎは、上り信号からトラフィック量を算出しなくともよい。このように構成されることで、一部の光送受信部１０１−ｎのみ省電力対象とすることができ、制御を簡易化できる。所定の要件とは、例えば、トラフィックが恒常的に発生する場合等である。
【００４１】
本実施形態は、ＷＤＭ−ＰＯＮ（Wavelength Division Multiplexing-Passive Optical Network）における波長切替処理に用いてもよい。具体的には、光通信システム１０の各終端装置２００−ｎが同じエリアをカバーする。さらに、各終端装置２００−ｎは、それぞれ異なる周波数帯のスモールセルを収容する場合である。この場合、トラフィック量を算出した結果、スモールセルのトラフィック量が閾値以下の場合、トラフィック量が閾値以上のスモールセルへ波長を切り替えてもよい。すなわち、終端装置２００−１及び終端装置２００−２が同じエリアをカバーしている場合、終端装置２００−１と終端装置２００−２のそれぞれのトラフィック量Ｓｕｐ［１]及びＳｕｐ［２]の和がＳth［１]を超えたか否かの判定を行う。和がＳth［１]以下の場合には、光送受信部１０１−２のトラフィックを光送受信部１０１−１で収容する。この際、光送受信部１０１−２は、省電力動作されてもよい。このように構成することで光通信システム１０内で省電力動作を行うことが可能となる。光通信システム２０との連携制御の実施回数を削減することができ、制御の簡易が期待できる。
【００４２】
以上、この発明の実施形態について図面を参照して詳述してきたが、具体的な構成はこの実施形態に限られるものではなく、この発明の要旨を逸脱しない範囲の設計等も含まれる。
【符号の説明】
【００４３】
１…光伝送システム，  １０…光通信システム，  ２０…光通信システム，  １００…端局装置，  １０１−ｎ…光送受信部，  １１１…モニタ集計部，  １１２…省電力制御部，  １１３…装置制御部，  １１４…局間通信部，  ２００−ｎ…終端装置，  ３００…光合分波装置，  ４００…端局装置，  ４０１…光送受信部，  ４１１…モニタ集計部，  ４１２…局間通信部，  ４１３…装置制御部，  ５００…終端装置
【図１】
2018033027.tif 000003
【図２】
2018033027.tif 000004
【図３】
2018033027.tif 000005
【図４】
2018033027.tif 000006
【図５】
2018033027.tif 000007